(57)【要約】【課題】レンズキャップとレンズ鏡筒前面との隙間から埃、異物が侵入すること。【解決手段】本発明のレンズキャップ取り付け装置は、外輪部１０１ｆを有するレンズキャップ１０１、キャップノブ１０２、キャップカバー１０３とからなるレンズキャップユニット１０６をレンズ鏡筒に装着するものであり、レンズ鏡筒とレンズキャップ間の隙間を防止する事となるので、レンズ面に、埃や、異物などの侵入を防止することとなる。【選択図】図１
2007057739.tif 000002
【特許請求の範囲】
【請求項１】
リング状外周部を有するレンズキャップと、レンズ鏡筒部を有するレンズキャップ取り付け装置であって、前記リング状外周部にはその半径方向に移動可能でかつ内周側に凸の形状を持つ爪部を有し、前記レンズ鏡筒部の外周に溝を有し、前記爪部が前記溝に係合することにより前記レンズキャップが前記レンズ鏡筒先端部を覆うことを特徴とするレンズキャップ取付装置。
【発明の詳細な説明】
【技術分野】
【０００１】
本発明は、映像と音を磁気記録再生できるビデオカメラ、デジタルスチルカメラあるいは静止画用カメラ等のカメラのレンズキャップ取付け装置に関するものである。
【背景技術】
【０００２】
以下図面を参照しながら、従来のレンズキャップ取付け装置について説明する。図４（ａ）は従来のレンズキャップユニットの構成を示す斜視図、図４（ｂ）は従来のレンズキャップユニットをカメラに取付けた時の断面図である。
【０００３】
１はレンズキャップ、２はカメラやレンズフードやレンズフィルターに対する着脱を行うことができるキャップヒンジ、２ａはレンズキャップ１をカメラに取り付ける際、図４（ｂ）に示すレンズキャップ取り付け用メネジの凹部６ｂに嵌合する左右一対の突起部、２ｂは前記突起部２ａがメネジの凹部６ｂに脱着可能に左右に動くようにレンズキャップ１に設けられたボス１ａに嵌合する一対のガイド孔、２ｃはレンズキャップをカメラに装着した時に、前記突起部２ａをレンズキャップ外周方向に付勢することで前記メネジの凹凸６ｂに負荷を与えるヒンジである。
【０００４】
以上のように構成された従来のレンズキャップ取付装置について、以下その動作について説明する。
【０００５】
まず、図４において、レンズキャップ１とキャップカバー３とによりキャップヒンジ２を内包するように配する。この時、レンズキャップ１に設けられたボス１ａがキャップヒンジ２のガイド孔２ｂを挿通させる。そして、ビス４をビス孔３ａとガイド孔２ｂとを介してボス１ａに締結することより、レンズキャップ１とキャップヒンジ２とキャップカバー３とをそれぞれ固定させることができる。
【０００６】
このようにして完成したレンズキャップユニットは、図４（ｂ）に示すように、レンズ先端のマニュアルフォーカス前枠７の外周内部に設けられたメネジ７bに締結させることにより、レンズ前面の開口部分を覆うように装着される。
【特許文献１】特開２００２−７２２８６号公報
【発明の開示】
【発明が解決しようとする課題】
【０００７】
しかしながら上記の従来の構成では、図４（ｂ）に示すように、レンズ１１の表面からマニュアルフォーカス前枠７の先端までの寸法Ａが必要となり、カメラ本体の前後寸法をこれ以上小型化できないという問題点があった。
【０００８】
また、従来の構成では、レンズキャップ側の突起部２ａとレンズ側のメネジ６bが係合している部分以外ではレンズキャップとレンズ先端外周部が理想的には密着しているものの、突起部２ａとレンズ側のメネジ６bの係合具合では隙間が発生し、埃や異物等が混入する可能性があった。
【０００９】
本発明は上記従来の問題点を解決するもので、カメラを使用していない時にはレンズへの埃や異物の混入を防止し、カメラ本体の前後寸法を小型化可能なレンズキャップを提供することを目的とする。
【課題を解決するための手段】
【００１０】
この目的を達成するために本発明のレンズキャップ取付装置は、カメラのレンズが外部に露出しないように覆うレンズキャップの取付装置であって、被係合部のレンズ鏡筒部の外周に溝を有し、その溝に係合する様に、内径方法に引掛け部を有する、レンズキャップとを備え、前記レンズキャップは、前記の被係合部に着脱自在であるこを特徴とするレンズキャップ取付装置とした。この構成によって、埃や異物の侵入を防止し、カメラ本体の前後寸法を小型化できる装着可能なレンズキャップ構成が得られる。
【発明の効果】
【００１１】
本発明では、レンズキャップの形状として、レンズ先端面に密着するのみならず側面部までも包み込む形状とすることで埃や異物の混入を防止出来る。
【００１２】
また、かかる形状とすることで、キャップノブの引掛けをレンズリングの外周に取付けることが可能となり、その結果、装着が容易なレンズキャップが構成でき、溝位置の自由度が高く、レンズ面よりも先端側にキャップ装着の為の部材を配置する必要がないため、カメラ本体の前後寸法を小型化できる。
【００１３】
また、レンズキャップノブの付勢手段として金属製のバネを用いるため、長時間装着した状態で激しい温湿度変化があった場合、あるいは高温下での着脱操作においても確実な操作を確保できる。
【発明を実施するための最良の形態】
【００１４】
本発明は、カメラのレンズが外部に露出しないように覆うレンズキャップの取付装置であって、レンズ鏡筒部の外周側に溝を有し、その溝に係合する様に、レンズキャップの内径側に引掛け突起部を有し、前記突起部が、前記溝に係合し、あるいは係合を解除することでカメラ本体に対し、レンズキャップが着脱自在な構成となっている。
【００１５】
以下、本発明のレンズキャップ取付装置について、図面を用いて説明する。
【００１６】
図１は本発明におけるレンズキャップユニットの構成を示す斜視図、図２は本発明の実施におけるレンズキャップユニットのカメラへの取付け方法を示す斜視図、図３は本発明のレンズキャップユニットの構成を示す正面図及びカメラに取付けた状態を示す断面図である。
【００１７】
図１に示すように、レンズキャップユニット１０６は、レンズキャップ１０１、１組のキャップノブ１０２、及びキャップカバー１０３で構成されている。
【００１８】
レンズキャップ１０１はレンズ光軸方向に所定の寸法を持つ外輪部１０１ｆで外周を囲まれ、さらに平面部１０１ｇによってレンズ側と対物側の空間が区切られている。レンズキャップ１０１の内側には、レンズキャップピン１０１ａ、レンズキャップビス孔１０１ｃ及びガイドリブ１０１ｅが設けられている。１０１bは、レンズキャップ開口部で、キャップノブ１０２のノブ部１０２ｅが収まるように構成されている。１０１Ｃはレンズキャップビス孔、１０１dはレンズキャップ紐通し部であり、紐を通すことでカメラ本体とレンズキャップを連結し、紛失防止を可能にしている。
【００１９】
キャップノブ１０２はレンズキャップ１０１内の平面部１０１ｇで区切られた対物側の空間に配された部材であり、使用者がノブ部１０２ｅを操作することでレンズキャップユニット１０６の着脱が可能となる。キャップノブ１０２上には第１ガイド孔１０２ｄ、第２ガイド孔１０２ｇ、バネ挿入ピン１０２ｆが設けられ、第１ガイド孔１０２ｄは幅がレンズキャップピン１０１ａの外径に等しい長孔形状をしている、１０２ａは、キャップノブの引掛け部であり、その先にはレンズ鏡筒側の溝に係合する凸部が配されている。
【００２０】
キャップカバー１０３はその裏面に図１（ｂ）のごとくキャップカバーボス１０３ａを一組配されている。キャップノブ１０２上の第２ガイド孔１０２ｇは幅がキャップカバーボス１０３ａの外径に等しい長孔形状をしている。
【００２１】
これら部品をレンズキャップユニット１０６に組み上げる際には、一組のキャップノブ１０２に設けられたバネ挿入ピン１０２ｆにはキャップコイルバネ１０５を装着し、キャップコイルバネ１０５を一組のガイドリブ１０１ｅで挟まれた空間に収めるとともに、ノブ部１０２ｅがレンズキャップ開口部１０１ｂに収まるように組み込み、レンズキャップピン１０１ａは第１ガイド孔１０２ｄに、キャップカバーボス１０３ａは第２ガイド孔１０２ｇにはめ込まれるように位置合わせをした後、ビス１０４によりキャップカバー１０３をレンズキャップ１０１に装着する。
【００２２】
この時、ノブ部１０２ｅは平面部１０１ｇで区切られたレンズ側空間及び対物側空間にまたがって存在し、また、キャップノブの引掛け部１０２ａはレンズ側空間に存在する為、平面部１０１ｇのうち、ノブ部１０２ｅ及びキャップノブの引掛け部１０２ａの可動範囲についてはレンズ側から対物側へ貫通した形状となっている。
【００２３】
図２はレンズキャップユニット１０６を装着するカメラ本体の外形を示す図であり、カメラ１１３の前面に設けられたレンズ鏡筒先端部のレンズリング１０８にはレンズリング溝１０８ａが設けられている。
【００２４】
このように組みあげられたレンズキャップユニット１０６をレンズ鏡筒に着脱する際には、まず、レンズキャップ開口部１０１ｂの外側から一対のノブ部１０２ｅをキャップコイルバネ１０５の付整力に反して外側から押しつけて内側（図３（ａ）矢印Ａ）に移動させることにより、摺動リブ１０２ｂはレンズキャップ１０１の半径方向外側（図３（ａ）矢印Ｂ）に移動する。
【００２５】
次にレンズ鏡筒にレンズキャップユニット１０６を装着し、ノブ部１０２ｅの押しつけ力を解除すると、キャップコイルバネ１０５の力に従い、ノブ部１０２ｅは外側に移動し、逆に摺動リブ１０２ｂは内側に移動し、キャップノブの引掛け部１０２ａが図３（ｂ）に示すごとく、レンズリング溝１０８ａと係合する。この状態でキャップコイルバネ１０５の付勢力によりレンズキャップユニット１０６はレンズ鏡筒から容易に外れない状態となる。
【００２６】
逆に、レンズキャップユニットをレンズ鏡筒からはずす時は、再びノブ部１０２ｅを外側から内側に押しつけることで摺動リブ１０２ｂは外側に移動し、キャップノブの引掛け部１０２ａとレンズリング溝１０８ａとの係合が解除され、レンズキャップユニットをレンズ鏡筒からはずすことが可能となる。
【００２７】
なお、図３（ｂ）のＤ部拡大図に示したように、キャップノブの引掛け部１０２ａの先端部にリブ傾斜部を設けることによって、レンズキャップをレンズに装着するとき、ノブ部１０２ｅを外側から押圧しなくともレンズキャップ本体をレンズ本体光軸方向に押し当てるだけで装着することが可能となる。
【００２８】
上記構成のレンズキャップユニット１０６を、撮影時は、カメラ１１３から外し、撮影していない時にはレンズリング１０８に装着することで、レンズリング１０８内のレンズの汚れや傷を防ぐことができる。
【００２９】
以上のように本実施の形態によれば、キャップノブの引掛けをレンズリングの外周に取付けられるレンズキャップが構成できる。また、キャップノブ１０２の付勢手段として、金属製のバネを用いたので、長時間装着した状態や、高温化で装着しても、樹脂のように大きく変形するようなことはないので、レンズリング１０８に確実に装着できるという優れた効果が得られるものである。
【００３０】
また、本実施の形態によればレンズキャップとレンズとの係合部として、キャップノブの引掛け部及びレンズリング溝を使っており、レンズリング溝はレンズの外側にあるため、その位置は自由度が高く、図１の外輪部の奥行き寸法を自由に設定でき、レンズ側面からの埃や異物の侵入もシャットアウトすることが可能となる。
【００３１】
以上のように本発明は、簡単な構成で、レンズキャップ取付け部をレンズリングの外周に取り付ける事ができ、カメラ本体の前後寸法を小型化できる、レンズの保護を可能にした取扱いの良いレンズキャップ取付け装置を提供できるという優れた効果が得られる。
【産業上の利用可能性】
【００３２】
このように本発明のレンズキャップ取り付け装置によると、レンズ鏡筒の外側に設けた溝に対して、レンズキャップ内側の突起部を係合することでレンズキャップを装着する構成としたことにより、レンズ前面のみならず側面も完全に覆うことの出来るレンズキャップを実現することが可能となり、埃、異物の侵入を回避出来るとともに、溝位置設定の自由度も高く、着脱が容易でかつ確実なレンズキャップ取り付け装置を実現出来るため、カメラ、ムービー、プロジェクタ等のレンズ鏡筒を有する製品に有用なものである。
【図面の簡単な説明】
【００３３】
【図１】本発明のレンズキャップ取付け装置におけるレンズキャップユニット及びキャップカバーの斜視図
【図２】本発明のレンズキャップ取付け装置におけるレンズキャップユニットのカメラへの取り付け方法を示す図
【図３】本発明のレンズキャップ取付け装置におけるレンズキャップユニットの構成及び取り付け状態を示す図
【図４】従来のレンズキャップの構成を示す図
【符号の説明】
【００３４】
１０１    レンズキャップ
１０２    キャップノブ
１０２ｅ    ノブ部
１０２ａ    キャップノブの引掛け部
１０３    キャップカバー
１０５    キャップコイルバネ
１０８    レンズリング
１０８ａ    レンズリング溝
【図１】
2007057739.tif 000003
【図２】
2007057739.tif 000004
【図３】
2007057739.tif 000005
【図４】
2007057739.tif 000006